(57)【要約】      （修正有）【課題】無尽蔵にある水力の活用をはかり家庭でも使用でき、またリサイクル品の活用、安価、簡易組立式で地形に対応可能な発電照明装置を提供する。【解決手段】自転車のリサイクル品、電気設備工事の撤去品、安価な電気部品などを利用し簡易発電照明装置を発明した。【選択図】図２
2006112410.tif 000002
【特許請求の範囲】
【請求項１】
リサイクル品を利用した、地形に応じて設置可能な簡易水流発電装置
【請求項２】
発電した電力を効率よく乾電池に充電する電気回路
【請求項３】
充電した電力をセンサーにてライトを点滅させる電気回路
【発明の詳細な説明】
【技術分野】
【０００１】  本発明は水力を用いる小型発電装置と、充電回路、自動点滅回路を組み合わせたものである。
【産業上の利用分野】
【０００２】  本発明は例えば電力の取れない一般家庭向きの庭園照明、または公共の遊歩道などの照明施設、キャンプ場などの簡易照明などに関するものである。
【背景技術】
【０００３】  従来、外部電力の供給できない照明施設は、太陽電池を用いるのが主である。【０００４】  発電装置を固定し、それに合わせ水流を施設するものは、従来から見受けられる。
【発明の開示】
【発明が解決しようとする課題】
【０００５】  以上に述べた発電装置は高価で、設置する地形を考慮し、新しく水路を施設する必要がある。【０００６】  また、太陽電池を利用するものは、雨天や曇りの日などは、利用できなくなり、外部電力に頼らざるを得ない。【０００７】  本発明は、上記のような問題を解決しようとするものであり、持ち運び可能、組み立ても簡易で、組み合わせによって設置する地形に対応が可能な発電装置の実現を目的とする。【０００８】  また、建築廃材などのリサイクル品の活用をはかり、電力のない場所においても安価な照明装置の実現を目的とする。
【課題を解決する手段】
【０００９】  そして、本発明は上記の目的を達成するために、鋼製電線管及びその付属品を組み合わせた架台に波付硬質合成樹脂管を羽とした自転車用のハブダイナモ発電機付車輪を取り付け、リード線、交直流変換装置、電圧昇圧装置を経て乾電池に充電し、その電力を自動点滅装置にてＬＥＤランプを点灯させるものとする。
【００１０】  鋼製電線管及び付属品を組み合わせた架台は、ビスで固定しているのでそれらをスライドさせ、設置する地形に対応が可能である。図１，３，４，５参照
【００１１】  また、ビスで固定しているだけなので、解体、組立が容易であり、持ち運びも可能である。
【００１２】  架台も含めた発電装置は、すべて自転車のリサイクル品、建築廃材などを利用でき、また充電装置、照明装置も安価で用意できる。
【発明の実施例】
【００１３】  図１から図１０は本発明の実施例を示す。
【００１４】  図において１、２は鋼製電線管であって、１は呼びＥ１９、２は呼びＥ２５を示す。
設置状況に合わせた長さのものを各種用意する。
【００１５】  ３，４はカップリングであって、３は呼びＥ１９，４は呼びＥ２５を示す。
これは、１同士、２同士または１，２同士を固定・直線接続する材料である。
【００１６】  ５はＬ型鋼を示し、これに３または４を溶接で固定している。
【００１７】  ６は脚部を示し、４を角度を替え溶接で固定している。
【００１８】  ７はハブダイナモ発電機を示す。
【００１９】  ８は７の付いた自転車の車輪を示す。
【００２０】  ９は波付硬質合成樹脂管を適当な長さに切断し、それを縦に割ったものである。
これを８に固定している。
【００２１】  １０は７で発電された、交流電圧を直流に変換する装置である。
【００２２】  １１は１０で出力された直流電圧を昇圧する装置である。
【００２３】  １２は自動点滅スイッチであって、周囲の明るさを感知し、昼間はスイッチＯＦＦ，夜間はＯＮをセンサーにて自動で行う装置である。
【００２４】  １３、１４は１２で自動で照明を点灯させるか、昼間でも強制的に点灯させるかを選択するスイッチである。スイッチ１３を入りに１４を切りにすると自動的に夜間に照明が点灯、昼間に消灯となり、逆にすると乾電池１６で強制的に点灯する。
【００２５】  １５は照明装置でありこの場合発光ダイオード球（ＬＥＤ球）を使用している。
【００２６】  １６はニッカド乾電池であり、発電した電力をここに貯めておき、水流がなくなったときなどに、この電力を利用し照明を点灯させる。
【実施実験結果】
【００２７】  わずかの水流でも発電を開始し、照明を点灯させ、約３０日間連続で作動させたが、球切れ、乾電池の不良などは発生しなかった。
【００２８】  ７の発電機は１分間に３０回転で約２．０Ｖ、８０回転で約６．０Ｖの電圧を発生することができるのを確認した。
【発明の効果】
【００２９】  本発明の主要な部分である１〜９は、全てリサイクル品を利用でき再資源活用、環境衛生などの問題も視野に入れて発明した。
【００３０】  大掛かりな土木工事などを必要とせず、わずかな水流があれば照明設備の設置が可能である。
【００３１】  ハブダイナモはわずかな回転でも電力を生み出す発電装置であって、本実施例は自転車の車輪を利用したが、換気扇のドラムファンを使った場合も同様な実験結果を確認している。よって、あらゆる回転部材と組み合わせることによって将来的には、さらに軽量化、小型化、簡易化が図れる。
【００３２】  また、本実施例は乾電池を使用したが、６Ｖの単車用バッテリー、１２Ｖの自動車用のバッテリーも利用できることを確認している。この場合さらに長時間の使用、照明ランプの増設などが可能である。
【図面の簡単な説明】
【００３３】
【図１】本発明の実施例の発電装置部分の基本設置図である。
【図２】図１の側面図である。
【図３】本発明の実施例の設置場所を陸地にし段差のある場所での例である。
【図４】同上の水路幅が広い場合の設置図である。
【図５】脚部６を傾斜地に対応した場合の設置例である。
【図６】図１〜図５は水面の流れを利用した設置図であるが、本図は上からの水流に対応した設置例である。
【図７】本発明の電気回路図である。
【図８】図１におけるＡ部の詳細図である。
【図９】図１におけるＢ部の詳細図である。
【図１０】図１におけるＣ部の詳細図である。
【符号の説明】
【００３４】    Ｖ  電圧（ボルト）
Ａ  電流（アンペア）
ＡＣ  交流
ＤＣ  直流
１  電気工事用鋼製電線管（ねじなし電線管Ｅ１９）
２  電気工事用鋼製電線管（ねじなし電線管Ｅ２５）
３  ねじなしカップリング（Ｅ１９）
４  ねじなしカップリング（Ｅ２５）
５  Ｌ型鋼
６  脚部
７  自転車用ハブダイナモ
８  自転車の車輪
９  波付硬質合成樹脂製電線管
１０  交直流電圧変換装置
１１  直流電圧昇圧装置
１２  自動点滅スイッチ
１３  自動点滅選択スイッチ
１４  強制点灯選択スイッチ
１５  発光ダイオード球（ＬＥＤ球）
１６  ニッカド乾電池
【図１】
2006112410.tif 000003
【図２】
2006112410.tif 000004
【図３】
2006112410.tif 000005
【図４】
2006112410.tif 000006
【図５】
2006112410.tif 000007
【図６】
2006112410.tif 000008
【図７】
2006112410.tif 000009
【図８】
2006112410.tif 000010
【図９】
2006112410.tif 000011
【図１０】
2006112410.tif 000012